(57)【要約】      （修正有）【課題】ヒンジ機構への塵埃の付着を簡素な構造によって低減する。【解決手段】本体と、前記本体に対して動作される被駆動体８と、カバー７によって閉塞されており前記本体と前記被駆動体８を連結するヒンジ機構９とを備え、ヒンジ機構９は、所定の方向へ延びる誘導部１６を有し固定されたスタンド１０と、誘導部１６に移動自在に支持され誘導部に誘導されて移動される移動軸１１と、被駆動体８を支持すると共に移動軸１１に支持され移動軸１１の移動に伴って所定の軌跡で第１の移動位置と第２の移動位置の間を移動されるフレーム１２と、移動軸の移動に伴ってフレーム１２が移動されるときにフレーム１２を案内するガイド１７とを備え、フレーム１２が第１の移動位置と第２の移動位置に移動されたときに移動軸１１の誘導部に対する位置が異なる。【選択図】図９
2013245811.tif 000002
【特許請求の範囲】
【請求項１】
本体と、前記本体に対して動作される被駆動体と、カバーによって閉塞されており前記本体と前記被駆動体を連結するヒンジ機構とを備え、
前記ヒンジ機構は、
所定の方向へ延びる誘導部を有し固定されたスタンドと、
前記誘導部に移動自在に支持され前記誘導部に誘導されて移動される移動軸と、
前記被駆動体を支持すると共に前記移動軸に支持され前記移動軸の移動に伴って所定の軌跡で第１の移動位置と第２の移動位置の間を移動されるフレームと、
前記移動軸の移動に伴って前記フレームが移動されるときに前記フレームを案内するガイドとを備え、
前記フレームが前記第１の移動位置と前記第２の移動位置に移動されたときに前記移動軸の前記誘導部に対する位置が異なるようにされた
装置。
【請求項２】
前記フレームが前記第１の位置から前記第２の位置へ向けて移動されるときに前記フレームを前記第２の位置へ向けて付勢すると共に前記フレームが前記第２の位置から前記第１の位置へ向けて移動されるときに前記フレームを前記第１の位置へ向けて付勢する付勢機構が設けられた
請求項１に記載の装置。
【請求項３】
前記付勢機構は、
第１の作用部と第２の作用部が設けられたカム案内部を有し前記移動軸が摺動自在に支持されるカムベースと、
前記カム案内部に案内され前記移動軸の移動に伴って移動される駆動カムと、
前記駆動カムを前記カム案内部に押し付ける押付バネとを備え、
前記駆動カムが前記第１の作用部に押し付けられたときに前記移動軸を介して前記フレームが前記第１の位置へ向けて付勢され、
前記駆動カムが前記第２の作用部に押し付けられたときに前記移動軸を介して前記フレームが前記第２の位置へ向けて付勢されるようにした
請求項２に記載の装置。
【請求項４】
前記カムベースが前記スタンドに一体に設けられた
請求項３に記載の装置。
【請求項５】
前記付勢機構として前記ガイドを介して前記フレームを付勢する付勢バネが設けられた
請求項２に記載の装置。
【請求項６】
前記ガイドが前記スタンドから突出されて設けられ、
前記フレームに前記ガイドが挿入されて前記ガイドに摺動される被ガイド孔が形成され、
前記付勢バネが前記フレームに取り付けられ又は係合され、
前記ガイドに前記付勢バネが押し付けられ、
前記フレームに、前記付勢バネが前記ガイドに押し付けられる反力によって付勢力が付与されるようにした
請求項５に記載の装置。
【請求項７】
前記誘導部が直線状に形成された
請求項１に記載の装置。
【請求項８】
前記ガイドが前記スタンドに取り付けられた
請求項１に記載の装置。
【請求項９】
前記被駆動体が前記フレームに前記移動軸の軸方向と直交する軸の軸回り方向へ回転自在に支持された
請求項１に記載の装置。
【請求項１０】
前記被駆動体として画像が表示される表示部が設けられた
請求項９に記載の装置。
【発明の詳細な説明】
【技術分野】
【０００１】
本技術は装置についての技術分野に関する。詳しくは、被駆動体を支持するフレームを移動軸の移動に伴って所定の軌跡で第１の移動位置と第２の移動位置の間で移動させてヒンジ機構への塵埃の付着を簡素な構造によって低減する技術分野に関する。
【背景技術】
【０００２】
装置としては、例えば、ディスク状記録媒体やメモリーカード等の各種の情報記録媒体に対する情報信号の記録や再生を行う記録再生装置、音声の出力が行われる音響装置、画像の表示が行われるテレビジョン等の表示装置、情報の処理が行われるパーソナルコンピューター等の情報処理装置、携帯電話等に代表される携帯端末装置、情報の通信が行われる通信装置、ビデオカメラやスチルカメラ等の撮像装置等の各種のものがある。
【０００３】
このような装置には、例えば、蓋体や表示部等の被駆動体が本体に対してヒンジ機構によって回動自在に支持されているものがある。例えば、ビデオカメラ等の撮像装置には、表示部が本体に対して回動（開閉）自在に支持されているものがある。
【０００４】
このようなビデオカメラにあっては、表示部が本体に対して閉塞位置において閉塞されることにより表示部が保護され、表示部が本体に対して回動されて開放位置まで回動（開放）されることにより表示部に表示される画像や映像を視認して撮影や再生を行うことが可能とされている。
【０００５】
上記のような被駆動体が本体に対して回動される装置、例えば、表示部が本体に対して回動されるビデオカメラにあっては、表示部がヒンジ機構の回動支点となる回動軸（開閉軸）に連結されている。ヒンジ機構はカバー（ヒンジカバー）に覆われており、カバーによってヒンジ機構の保護やヒンジ機構への塵埃の付着が低減されている。
【０００６】
ところが、小型化を図るために閉塞位置において表示部とカバーが接近して位置されるようにすると、表示部が円弧状の軌跡で回動されるため、表示部のカバー側の端部がカバーの表示部側の端部に干渉し表示部の回動動作に支障を来たしてしまう。
【０００７】
この場合に、閉塞位置において表示部とカバーの間に隙間が形成されるように設計すると、この隙間からカバーの内部に塵埃が侵入してヒンジ機構に付着しヒンジ機構の円滑な動作が妨げられるおそれがある。
【０００８】
そこで、従来のビデオカメラには、開放位置と閉塞位置の間における表示部の移動軌跡を表示部がカバーに干渉しないような軌跡にし、閉塞位置において表示部とカバーの間に隙間が存在しないように又は隙間が小さくなるようにしたものがある（例えば、特許文献１参照）。
【０００９】
特許文献１に記載されたビデオカメラは、閉塞位置において所定の位置に存在する移動軸（回動軸）が所定のルートを移動され、このとき移動軸に伴って開閉される表示部がカバーに干渉しないような移動軌跡を移動され、開放位置において移動軸が上記した所定の位置に戻るように構成されている。
【００１０】
【特許文献１】特開２００９−１７４５５７号公報
【発明の開示】
【発明が解決しようとする課題】
【００１１】
ところが、特許文献１に記載されたビデオカメラにあっては、上記のような移動軸が所定のルートを移動されるようにするために、複雑なカム機構や複雑なガイド機構が設けられており、部品点数が多くヒンジ機構の構造が複雑であり、製造コストも高いと言う問題がある。
【００１２】
そこで、本技術装置は、上記した問題点を克服し、ヒンジ機構への塵埃の付着を簡素な構造によって低減することを課題とする。
【課題を解決するための手段】
【００１３】
第１に、装置は、上記した課題を解決するために、本体と、前記本体に対して動作される被駆動体と、カバーによって閉塞されており前記本体と前記被駆動体を連結するヒンジ機構とを備え、前記ヒンジ機構は、所定の方向へ延びる誘導部を有し固定されたスタンドと、前記誘導部に移動自在に支持され前記誘導部に誘導されて移動される移動軸と、前記被駆動体を支持すると共に前記移動軸に支持され前記移動軸の移動に伴って所定の軌跡で第１の移動位置と第２の移動位置の間を移動されるフレームと、前記移動軸の移動に伴って前記フレームが移動されるときに前記フレームを案内するガイドとを備え、前記フレームが前記第１の移動位置と前記第２の移動位置に移動されたときに前記移動軸の前記誘導部に対する位置が異なるようにされたものである。
【００１４】
従って、装置にあっては、誘導部に誘導される移動軸の移動に伴ってフレームがガイドによって案内されて所定の軌跡で移動される。
【００１５】
第２に、上記した装置においては、前記フレームが前記第１の位置から前記第２の位置へ向けて移動されるときに前記フレームを前記第２の位置へ向けて付勢すると共に前記フレームが前記第２の位置から前記第１の位置へ向けて移動されるときに前記フレームを前記第１の位置へ向けて付勢する付勢機構が設けられることが望ましい。
【００１６】
フレームが第２の位置へ向けて移動されるときに第２の位置へ向けて付勢すると共に第１の位置へ向けて移動されるときに第１の位置へ向けて付勢する付勢機構が設けられることにより、フレームが第２の位置又は第１の位置に付勢機構の付勢力によって移動される。
【００１７】
第３に、上記した装置においては、前記付勢機構は、第１の作用部と第２の作用部が設けられたカム案内部を有し前記移動軸が摺動自在に支持されるカムベースと、前記カム案内部に案内され前記移動軸の移動に伴って移動される駆動カムと、前記駆動カムを前記カム案内部に押し付ける押付バネとを備え、前記駆動カムが前記第１の作用部に押し付けられたときに前記移動軸を介して前記フレームが前記第１の位置へ向けて付勢され、前記駆動カムが前記第２の作用部に押し付けられたときに前記移動軸を介して前記フレームが前記第２の位置へ向けて付勢されるようにすることが望ましい。
【００１８】
付勢機構において、駆動カムが第１の作用部に押し付けられたときに移動軸を介してフレームが第１の位置へ向けて付勢され、駆動カムが第２の作用部に押し付けられたときに移動軸を介してフレームが第２の位置へ向けて付勢されるようにすることにより、付勢機構の構成が簡素になる。
【００１９】
第４に、上記した装置においては、前記カムベースが前記スタンドに一体に設けられることが望ましい。
【００２０】
カムベースがスタンドに一体に設けられることにより、部品点数が削減される。
【００２１】
第５に、上記した装置においては、前記付勢機構として前記ガイドを介して前記フレームを付勢する付勢バネが設けられることが望ましい。
【００２２】
付勢機構としてガイドを介してフレームを付勢する付勢バネが設けられることにより、付勢バネの付勢力によってフレームが第２の位置又は第１の位置に移動される。
【００２３】
第６に、上記した装置においては、前記ガイドが前記スタンドから突出されて設けられ、前記フレームに前記ガイドが挿入されて前記ガイドに摺動される被ガイド孔が形成され、前記付勢バネが前記フレームに取り付けられ又は係合され、前記ガイドに前記付勢バネが押し付けられ、前記フレームに、前記付勢バネが前記ガイドに押し付けられる反力によって付勢力が付与されるようにすることが望ましい。
【００２４】
ガイドに付勢バネが押し付けられ、フレームに、付勢バネがガイドに押し付けられる反力によって付勢力が付与されるようにすることにより、付勢バネがガイドに押し付けられる反力によってフレームが第２の位置又は第１の位置に移動される。
【００２５】
第７に、上記した装置においては、前記誘導部が直線状に形成されることが望ましい。
【００２６】
誘導部が直線状に形成されることにより、スタンドにおける誘導部の形成が容易になる。
【００２７】
第８に、上記した装置においては、前記ガイドが前記スタンドに設けられることが望ましい。
【００２８】
ガイドがスタンドに取り付けられることにより、ガイドを取り付ける専用の部材が不要になる。
【００２９】
第９に、上記した装置においては、前記被駆動体が前記フレームに前記移動軸の軸方向と直交する軸の軸回り方向へ回転自在に支持されることが望ましい。
【００３０】
被駆動体がフレームに移動軸の軸方向と直交する軸の軸回り方向へ回転自在に支持されることにより、被駆動体が移動かつ回転される。
【００３１】
第１０に、上記した装置においては、前記被駆動体として画像が表示される表示部が設けられることが望ましい。
【００３２】
被駆動体として画像が表示される表示部が設けられることにより、表示部が移動かつ回転される。
【発明の効果】
【００３３】
本技術装置は、本体と、前記本体に対して動作される被駆動体と、カバーによって閉塞されており前記本体と前記被駆動体を連結するヒンジ機構とを備え、前記ヒンジ機構は、所定の方向へ延びる誘導部を有し固定されたスタンドと、前記誘導部に移動自在に支持され前記誘導部に誘導されて移動される移動軸と、前記被駆動体を支持すると共に前記移動軸に支持され前記移動軸の移動に伴って所定の軌跡で第１の移動位置と第２の移動位置の間を移動されるフレームと、前記移動軸の移動に伴って前記フレームが移動されるときに前記フレームを案内するガイドとを備え、前記フレームが前記第１の移動位置と前記第２の移動位置に移動されたときに前記移動軸の前記誘導部に対する位置が異なるようにされている。
【００３４】
従って、複雑なカム機構や複雑なガイド機構等によって構成された複雑な機構を有していないため、ヒンジ機構への塵埃の付着を簡素な構造によって低減することができる。
【００３５】
請求項２に記載した技術にあっては、前記フレームが前記第１の位置から前記第２の位置へ向けて移動されるときに前記フレームを前記第２の位置へ向けて付勢すると共に前記フレームが前記第２の位置から前記第１の位置へ向けて移動されるときに前記フレームを前記第１の位置へ向けて付勢する付勢機構が設けられている。
【００３６】
従って、フレームを第２の位置及び第１の位置に確実に移動させることができる。
【００３７】
請求項３に記載した技術にあっては、前記付勢機構は、第１の作用部と第２の作用部が設けられたカム案内部を有し前記移動軸が摺動自在に支持されるカムベースと、前記カム案内部に案内され前記移動軸の移動に伴って移動される駆動カムと、前記駆動カムを前記カム案内部に押し付ける押付バネとを備え、前記駆動カムが前記第１の作用部に押し付けられたときに前記移動軸を介して前記フレームが前記第１の位置へ向けて付勢され、前記駆動カムが前記第２の作用部に押し付けられたときに前記移動軸を介して前記フレームが前記第２の位置へ向けて付勢されるようにしている。
【００３８】
従って、付勢機構の構成が簡素であり、簡素な構造によってフレームを第２の位置及び第１の位置に確実に移動させることができる。
【００３９】
請求項４に記載した技術にあっては、前記カムベースが前記スタンドに一体に設けられている。
【００４０】
従って、部品点数が削減され、ヒンジ機構の構造の簡素化を図ることができる。
【００４１】
請求項５に記載した技術にあっては、前記付勢機構として前記ガイドを介して前記フレームを付勢する付勢バネが設けられている。
【００４２】
従って、少ない部品点数の簡素な構造によってフレームを第２の位置及び第１の位置に確実に移動させることができる。
【００４３】
請求項６に記載した技術にあっては、前記ガイドが前記スタンドから突出されて設けられ、前記フレームに前記ガイドが挿入されて前記ガイドに摺動される被ガイド孔が形成され、前記付勢バネが前記フレームに取り付けられ又は係合され、前記ガイドに前記付勢バネが押し付けられ、前記フレームに、前記付勢バネが前記ガイドに押し付けられる反力によって付勢力が付与されるようにしている。
【００４４】
従って、最小限の部品点数でフレームを第２の位置及び第１の位置に確実に移動させることができる。
【００４５】
請求項７に記載した技術にあっては、前記誘導部が直線状に形成されている。
【００４６】
従って、スタンドにおける誘導部の形成が容易であり、スタンドの加工性の向上を図ることができる。
【００４７】
請求項８に記載した技術にあっては、前記ガイドが前記スタンドに取り付けられている。
【００４８】
従って、ガイドを取り付ける専用の部材が不要であり、部品点数の削減によるヒンジ機構の構造の簡素化を図ることができる。
【００４９】
請求項９に記載した技術にあっては、前記被駆動体が前記フレームに前記移動軸の軸方向と直交する軸の軸回り方向へ回転自在に支持されている。
【００５０】
従って、被駆動体が移動かつ回転するため、被駆動体の位置の自由度が高く、装置の使い勝手の向上を図ることができる。
【００５１】
請求項１０に記載した技術にあっては、前記被駆動体として画像が表示される表示部が設けられている。
【００５２】
従って、表示部の移動かつ回転により表示面の向きの自由度が高く、装置の使い勝手の向上を図ることができる。
【発明を実施するための最良の形態】
【００５３】
以下に、本技術装置を実施するための最良の形態を添付図面に従って説明する。
【００５４】
以下に示した最良の形態は、本技術装置をビデオカメラに適用したものである。尚、本技術の適用範囲はビデオカメラに限られることはない。
【００５５】
本技術は、ディスク状記録媒体やメモリーカード等の各種の情報記録媒体に対する情報信号の記録や再生を行う記録再生装置、音声の出力が行われる音響装置、画像の表示が行われるテレビジョン等の表示装置、情報の処理が行われるパーソナルコンピューター等の情報処理装置、携帯電話等に代表される携帯端末装置、情報の通信が行われる通信装置、ビデオカメラ以外の撮像装置等の各種の装置に広く適用することができる。
【００５６】
以下の説明にあっては、ビデオカメラの撮影時において撮影者から見た方向で前後上下左右の方向を示すものとする。従って、被写体側が前方となり、撮影者側が後方となる。
【００５７】
尚、以下に示す前後上下左右の方向は説明の便宜上のものであり、本技術の実施に関しては、これらの方向に限定されることはない。
【００５８】
［装置の概略構成］
先ず、装置（ビデオカメラ）の概略構成について説明する（図１乃至図４参照）。
【００５９】
装置１は本体２の内外に所要の各部が配置され又は支持されて成る。本体２は、例えば、縦長のケース状に形成されている。
【００６０】
本体２の上面２ａにはインターフェースカバー３及び操作スイッチ４、４が前側から順に配置されている。操作スイッチ４、４は、例えば、ズームレバーや撮影釦である。
【００６１】
本体２は前端部がフロントパネル部５として設けられている。フロントパネル部５には撮影レンズ５ａが保持されている。
【００６２】
本体２の側面部における前端寄りの位置には側方へ突出された機構配置部６が設けられている。機構配置部６は後述するヒンジ機構とヒンジ機構を閉塞するカバー７とから成り、カバー７は後方及び右方に開口されている。
【００６３】
ヒンジ機構には表示部８が回動自在（移動自在）かつ回転自在に連結され、表示部８は表示面８ａを有している。
【００６４】
表示部８は本体２に閉塞される閉塞位置（図１参照）と本体２に対して開放される開放位置（図２参照）との間で回動可能とされている。また、表示部８は開放位置において回転されることにより表示面８ａが前方を向く状態にすることが可能であり（図３参照）、表示面８ａが前方を向く状態で閉塞位置まで回動されることにより表示面８ａが左方を向く状態にすることが可能である（図４参照）。
【００６５】
閉塞位置（図１及び図４参照）においては、カバー７の後端と表示部８の前端とが当接又は近接して位置されており、両者の間に隙間が存在せず、又は、両者の間の隙間が非常に小さくされている。従って、閉塞位置におけるカバー７の内部への塵埃の侵入が低減される。
【００６６】
上記のように、表示部８は本体２に対して回動かつ回転され、本体２に対して回動駆動及び回転駆動される被駆動体として設けられている。
【００６７】
［ヒンジ機構の構成］
次に、ヒンジ機構の構成について説明する（図５乃至図７参照）。
【００６８】
ヒンジ機構９は、上記したように、本体２の機構配置部６に取り付けられ、カバー７によって閉塞されている。
【００６９】
ヒンジ機構９はスタンド１０と移動軸１１とフレーム１２を有している。
【００７０】
スタンド１０は機構配置部６において固定され、それぞれ上下方向を向く状態で上下に離隔して位置されたベース面部１３、１３とベース面部１３、１３を連結する連結部１４とベース面部１３、１３の右端部からそれぞれ上方又は下方へ突出された被固定面部１５、１５とを有している。スタンド１０は被固定面部１５、１５がネジ止め等によって固定されている。
【００７１】
ベース面部１３には誘導部１６が形成されている。誘導部１６は上下に貫通された長孔であり、例えば、直線状に形成され、後方へ行くに従って右方へ変位するように傾斜されている。誘導部１６は前端部が第１の係合部１６ａとして形成され後端部が第２の係合部１６ｂとして形成されている。
【００７２】
上記のように、誘導部１６、１６が直線状に形成されることにより、スタンド１０における誘導部１６、１６の形成が容易であり、スタンド１０の加工性の向上を図ることができる。
【００７３】
また、誘導部１６、１６はそれぞれベース面部１３、１３に形成され上下方向において位置が一致される必要があるが、誘導部１６、１６が直線状に形成されることにより、誘導部１６、１６間の位置精度の向上を図ることができる。
【００７４】
ベース面部１３には係合切欠１３ａと係合孔１３ｂが左右に離隔して形成されている。
【００７５】
ベース面部１３、１３にはそれぞれ後端部における左端部に互いに近付く方向へ突出された丸軸状のガイド１７、１７が取り付けられている。ガイド１７がスタンド１０のベース面部１３に取り付けられることにより、ガイド１７を取り付ける専用の部材が不要であり、部品点数の削減によるヒンジ機構９の構造の簡素化を図ることができる。
【００７６】
移動軸１１は上下に延びる丸軸状に形成され、上下両端部がそれぞれ小径部１１ａ、１１ａとして設けられ、小径部１１ａ、１１ａ以外の部分が小径部１１ａ、１１ａより径の大きい大径部１１ｂとして設けられている。移動軸１１は小径部１１ａ、１１ａがそれぞれスタンド１０の誘導部１６、１６に挿通され、大径部１１ｂがベース面部１３、１３間に位置される。
【００７７】
移動軸１１は誘導部１６、１６に誘導されてベース面部１３、１３に対して移動される。
【００７８】
フレーム１２は基面部１８と基面部１８の上下両端部からそれぞれ直交する方向へ突出された被支持面部１９、１９と基面部１８の後端部から被支持面部１９、１９の突出方向と同じ方向へ突出された連結面部２０とから成る。
【００７９】
被支持面部１９の先端部にはそれぞれ上下に貫通された被支持孔１９ａと被ガイド孔２１とが形成されている。
【００８０】
被ガイド孔２１は被支持孔１９ａに離接する方向へ延びる長孔に形成されている。被ガイド孔２１は、被支持孔１９ａと反対側の端部が第１の端部２１ａとして形成され、被支持孔１９ａ側の端部が第２の端部２１ｂとして形成されている。
【００８１】
連結面部２０には前側から順に支持軸２２、取付部材２３及びストッパー部材２４が連結される（図６参照）。取付部材２３は支持軸２２とストッパー部材２４に対して回転可能とされている。
【００８２】
取付部材２３には被ストッパー突部２３ａが設けられている。取付部材２３には表示部８が取り付けられる。
【００８３】
ストッパー部材２４には周方向において二つのストッパー面２４ａ、２４ａ
が形成されている。
【００８４】
上記したように、表示部８が本体２に対して回転されるときには、取付部材２３が表示部８に伴って回転される。このとき表示部８の回転量及び回転方向に応じて被ストッパー突部２３ａが何れかのストッパー面２４ａ、２４ａに接触されることにより表示部８の回転が規制され、表示部８の必要以上の回転が防止されている。
【００８５】
フレーム１２は被支持面部１９、１９の被支持孔１９ａ、１９ａにそれぞれ移動軸１１における大径部１１ｂの両端部が挿通され、スタンド１０のベース面部１３、１３間において移動軸１１に支持されている。また、フレーム１２の被ガイド孔２１、２１にはスタンド１０に設けられたガイド１７、１７がそれぞれ挿入され、被ガイド孔２１、２１がそれぞれガイド１７、１７に摺動可能とされる。
【００８６】
フレーム１２は移動軸１１の移動に伴ってガイド１７、１７に案内されて回動されながら移動される。
【００８７】
スタンド１０におけるベース面部１３、１３の外面にはそれぞれカムベース２５、２５が取り付けられる。カムベース２５は上下方向を向く板状の被取付面部２６と被取付面部２６の外面（上面又は下面）に突出して設けられたカム案内部２７とを有している。
【００８８】
被取付面部２６にはカム案内部２７と反対側へ突出された被取付突部２６ａ、２６ｂが設けられている。
【００８９】
カム案内部２７は環状に形成され後方へ行くに従って右方へ変位するように傾斜されている。カム案内部２７の外面は前方側から順に連続して第１の平面部２７ａ、第１の作用部２７ｂ、中間部２７ｃ、第２の作用部２７ｄ及び第２の平面部２７ｅとして形成されている。
【００９０】
上側のカムベース２５に設けられたカム案内部２７の第１の平面部２７ａ、中間部２７ｃ及び第２の平面部２７ｅは上方を向き、第１の平面部２７ａと第２の平面部２７ｅが上下方向において同じ位置にあり、中間部２７ｃが第１の平面部２７ａと第２の平面部２７ｅより上方に位置されている。
【００９１】
下側のカムベース２５に設けられたカム案内部２７の第１の平面部２７ａ、中間部２７ｃ及び第２の平面部２７ｅは下方を向き、第１の平面部２７ａと第２の平面部２７ｅが上下方向において同じ位置にあり、中間部２７ｃが第１の平面部２７ａと第２の平面部２７ｅより下方に位置されている。
【００９２】
カム案内部２７、２７の第１の作用部２７ｂ、２７ｂと第２の作用部２７ｄ、２７ｄは上下方向において傾斜されている。
【００９３】
カムベース２５にはカム案内部２７に囲まれた位置に上下に貫通された軸挿通孔２５ａが形成され、軸挿通孔２５ａは後方へ行くに従って右方へ変位するように傾斜されている。
【００９４】
カムベース２５、２５は被取付突部２６ａ、２６ａがそれぞれ挿入切欠１３ａ、１３ａに挿入され被取付突部２６ｂ、２６ｂがそれぞれ挿入孔１３ｂ、１３ｂに挿入されてベース面部１３、１３に位置決めされ、接着等によってベース面部１３、１３に取り付けられる。
【００９５】
尚、カムベース２５、２５はそれぞれスタンド１０のベース面部１３、１３に一体に設けられていてもよい。カムベース２５、２５がスタンド１０に一体に設けられることにより、部品点数が削減され、ヒンジ機構９の構造の簡素化を図ることができる。
【００９６】
カムベース２５、２５がベース面部１３、１３に取り付けられた状態において、スタンド１０の誘導部１６、１６に挿通された移動軸１１の小径部１１ａ、１１ａがそれぞれ軸挿通孔２５ａ、２５ａに挿通される。
【００９７】
移動軸１１の小径部１１ａ、１１ａがそれぞれ軸挿通孔２５ａ、２５ａに挿通された状態において、小径部１１ａ、１１ａにはそれぞれカムベース２５、２５側から順に駆動カム２８、２８、押付バネ２９、２９及び押さえ部材３０、３０が取り付けられる。
【００９８】
駆動カム２８は略円筒状に形成された環状部３１と環状部３１からカムベース２５側へ突出された規制突部３２とから成る。環状部３１のカムベース２５側の面は二つの曲面状の傾斜面３１ａ、３１ａによって形成されている。傾斜面３１ａ、３１ａは、後述するように、駆動カム２８がカムベース２５のカム案内部２７に摺動されるときに、カムベース２５の第１の作用部２７ｂ又は第２の作用部２７ｄに線接触可能な角度で傾斜されている（図７参照）。
【００９９】
押付バネ２９は圧縮コイルバネであり、移動軸１１の小径部１１ａに外嵌状に支持される。
【０１００】
押さえ部材３０は小径部１１ａの先端部に取り付けられ、押付バネ２９の小径部１１ａからの脱落を防止する機能を有している。
【０１０１】
押さえ部材３０が小径部１１ａの先端部に取り付けられることにより、押付バネ２９が駆動カム２８と押さえ部材３０の間で圧縮され、駆動カム２８が押付バネ２９の付勢力によってカムベース２５におけるカム案内部２７の外面に押し付けられる。
【０１０２】
このとき駆動カム２８は環状部３１がカム案内部２７の外面に押し付けられ、規制突部３２が軸挿通孔２５ａに挿入されている。従って、規制突部３２によって駆動カム２８の移動軸１１及びカム案内部２７に対する回転が規制されている。
【０１０３】
上記したカムベース２５、駆動カム２８、押付バネ２９及び押さえ部材３０は移動軸１１を介してフレーム１２を所定の方向へ付勢する付勢機構３３として構成されている。
【０１０４】
［ヒンジ機構の動作］
以下に、表示部８が本体２に対して閉塞位置と開放位置の間で回動されるときのヒンジ機構９の動作について説明する（図６、図８、図９及び図１０参照）。
【０１０５】
表示部８が閉塞位置にあるときにはヒンジ機構９のフレーム１２が第１の位置にあり、先ず、フレーム１２が第１の位置にあるときの各部の状態について説明する（図６及び図８参照）。
【０１０６】
フレーム１２が第１の位置にあるときには、移動軸１１がスタンド１０のベース面部１３に形成された誘導部１６、１６の第１の係合部１６ａ、１６ａに係合されている。従って、移動軸１１が挿通された駆動カム２８、２８はカムベース２５、２５にそれぞれ設けられたカム案内部２７、２７の第１の作用部２７ｂ、２７ｂにおける第１の平面部２７ａ、２７ａ側の端部に押付バネ２９、２９によって押し付けられている。
【０１０７】
ガイド１７、１７はそれぞれフレーム１２に形成された被ガイド孔２１、２１の第１の端部２１ａ、２１ａに係合されている。
【０１０８】
また、表示部８が閉塞位置にある状態においては、図８に示すように、カバー７の後端と表示部８の前端とが当接又は近接して位置されており、両者の間に隙間が存在せず、又は、両者の間の隙間が非常に小さくされている。従って、閉塞位置におけるカバー７の内部への塵埃の侵入が低減されている。
【０１０９】
表示部８が本体２に対して閉塞位置から開放位置へ向けて回動されていくと、移動軸１１が誘導部１６に誘導されて第１の係合部１６ａから第２の係合部１６ｂへ向けて移動される。
【０１１０】
従って、駆動カム２８はカム案内部２７の第１の作用部２７ｂから中間部２７ｃに移動される（図９参照）。駆動カム２８が第１の作用部２７ｂを移動されるときには、環状部３１の一方の傾斜面３１ａが第１の作用部２７ｂに摺動されるため、駆動カム２７のカム案内部２７に対する円滑な移動が行われる。
【０１１１】
駆動カム２８が第１の作用部２７ｂを中間部２７ｃ側へ移動されるときには押付バネ２９の圧縮状態が大きくなり、駆動カム２８のカム案内部に対する押付力が大きくされる。
【０１１２】
このときガイド１７は被ガイド孔２１に対して第１の端部２１ａから相対的に移動され第２の端部２１ｂに係合される。従って、フレーム１２及び表示部８が左斜め後方（図９に示す矢印Ｐ方向）へ押し出されるようにして回動され、表示部８のカバー７との接触が回避される。
【０１１３】
引き続き、表示部８が本体２に対して開放位置へ向けて回動されていくと、移動軸１１が誘導部１６に誘導されて第２の係合部１６ｂまで移動される。
【０１１４】
従って、駆動カム２８はカム案内部２７の中間部２７ｃから第２の作用部２７ｄにおける第２の平面部２７ｅ側の端部に移動される（図１０参照）。駆動カム２８が第２の作用部２７ｄを移動されるときには、環状部３１の他方の傾斜面３１ａが第２の作用部２７ｄに摺動されるため、駆動カム２７のカム案内部２７に対する円滑な移動が行われる。
【０１１５】
駆動カム２８が第２の作用部２７ｄを移動されるときには押付バネ２９の圧縮状態が小さくなっていき、駆動カム２８に第２の作用部２７ｄから第２の平面部２７ｅへ向けて移動される方向への付勢力が付与される。
【０１１６】
駆動カム２８に第２の作用部２７ｄから第２の平面部２７ｅへ向けて移動される方向への付勢力が付与されると、駆動カム２８に挿通されている移動軸１１及び移動軸１１に支持されているフレーム１２を介して表示部８に開放位置へ向かう方向への付勢力が付与される。従って、表示部８が開放位置まで回動される直前において使用者が表示部８から手を離しても、表示部８は押付バネ２９の付勢力によって開放位置まで確実に回動される。
【０１１７】
このときガイド１７は被ガイド孔２１に対して第２の端部２１ｂから相対的に移動され再び第１の端部２１ａに係合される。
【０１１８】
フレーム１２は表示部８が開放位置まで回動されるため第２の位置まで移動される。
【０１１９】
逆に、表示部８が本体２に対して開放位置から閉塞位置へ向けて回動されていくと、移動軸１１が誘導部１６に誘導されて第２の係合部１６ｂから第１の係合部１６ａへ向けて移動される。
【０１２０】
従って、駆動カム２８はカム案内部２７の第２の作用部２７ｄから中間部２７ｃに移動される（図９参照）。駆動カム２８が第２の作用部２７ｄを移動されるときには、環状部３１の一方の傾斜面３１ａが第２の作用部２７ｄに摺動されるため、駆動カム２７のカム案内部２７に対する円滑な移動が行われる。
【０１２１】
駆動カム２８が第２の作用部２７ｄを中間部２７ｃ側へ移動されるときには押付バネ２９の圧縮状態が大きくなり、駆動カム２８のカム案内部に対する押付力が大きくされる。
【０１２２】
このときガイド１７は被ガイド孔２１に対して第１の端部２１ａから相対的に移動され第２の端部２１ｂに係合される。従って、フレーム１２及び表示部８が左斜め後方（図９に示す矢印Ｐ方向）へ押し出されるようにして回動され、表示部８のカバー７との接触が回避される。
【０１２３】
引き続き、表示部８が本体２に対して閉塞位置へ向けて回動されていくと、移動軸１１が誘導部１６に誘導されて第１の係合部１６ａまで移動される。
【０１２４】
従って、駆動カム２８はカム案内部２７の中間部２７ｃから第１の作用部２７ｂに移動される（図８参照）。駆動カム２８が第１の作用部２７ｂを移動されるときには、環状部３１の他方の傾斜面３１ａが第１の作用部２７ｂに摺動されるため、駆動カム２７のカム案内部２７に対する円滑な移動が行われる。駆動カム２８が第１の作用部２７ｂを移動されるときには押付バネ２９の圧縮状態が小さくなっていき、駆動カム２８に第１の作用部２７ｂから第１の平面部２７ａへ向けて移動される方向への付勢力が付与される。
【０１２５】
駆動カム２８に第１の作用部２７ｂから第１の平面部２７ａへ向けて移動される方向への付勢力が付与されると、駆動カム２８に挿通されている移動軸１１及び移動軸１１に支持されているフレーム１２を介して表示部８に閉塞位置へ向かう方向への付勢力が付与される。従って、表示部８が閉塞位置まで回動される直前において使用者が表示部８から手を離しても、表示部８は押付バネ２９の付勢力によって閉塞位置まで確実に回動される。
【０１２６】
このときガイド１７は被ガイド孔２１に対して第２の端部２１ｂから相対的に移動され再び第１の端部２１ａに係合される。
【０１２７】
フレーム１２は表示部８が閉塞位置まで回動されるため再び第１の位置まで移動される。
【０１２８】
上記したように、装置１にあっては、フレーム１２が第１の位置から第２の位置へ向けて移動されるときにフレーム１２を第２の位置へ向けて付勢すると共にフレーム１２が第２の位置から第１の位置へ向けて移動されるときにフレーム１２を第１の位置へ向けて付勢する付勢機構３３が設けられている。
【０１２９】
従って、フレーム１２を第２の位置及び第１の位置に確実に移動させることができ、フレーム１２に連結された表示部８を開放位置及び閉塞位置に確実に移動させることができる。
【０１３０】
また、付勢機構３３は、カム案内部２７を有するカムベース２５と、カム案内部２７に案内される駆動カム２８と、駆動カム２８をカム案内部２７に押し付ける押付バネ２６とを有する構成にされている。
【０１３１】
従って、付勢機構３３の構成が簡素であり、簡素な構造によってフレーム１２を第２の位置及び第１の位置に確実に移動させることができ、フレーム１２に連結された表示部８を開放位置及び閉塞位置に確実に移動させることができる。
【０１３２】
［ヒンジ機構の変形例］
次に、ヒンジ機構の各変形例について説明する（図１１乃至図１８参照）。
【０１３３】
尚、以下に示す各変形例に係るヒンジ機構は、上記したヒンジ機構９と比較して、付勢機構３３に代えて別の付勢機構として機能する付勢バネが設けられていることのみが相違する。従って、各変形例に係るヒンジ機構に関しては、ヒンジ機構９と比較して異なる部分についてのみ詳細に説明をし、その他の部分についてはヒンジ機構９における同様の部分に付した符号と同じ符号を付して説明は省略する。
【０１３４】
＜第１の変形例＞
第１の変形例に係るヒンジ機構９Ａには付勢機構３３に代えて付勢機構３３Ａとして機能する付勢バネ３４が設けられている（図１１及び図１２参照）。
【０１３５】
付勢バネ３４は板バネであり、左右方向を向く被取付部３４ａと被取付部３４ａの上下両端部から左方へ突出するように設けられたバネ部３４ｂ、３４ｂとから成る。被取付部３４ａはスタンド１０の被固定部１５にネジ止め等によって取り付けられ、バネ部３４ｂ、３４ｂはそれぞれガイド１７、１７に押し付けられている。
【０１３６】
従って、ガイド１７、１７には付勢バネ３４によって被ガイド孔２１の第２の端部２１ｂ、２１ｂから第１の端部２１ａ、２１ａへ向かう方向への付勢力が付与され、その反力としてフレーム１２に回動位置（移動位置）に応じて第１の位置又は第２の位置へ向かう方向への付勢力が付与される。
【０１３７】
ヒンジ機構９Ａが設けられた装置１において、表示部８が本体２に対して閉塞位置から開放位置へ向けて回動されていくと、移動軸１１が誘導部１６に誘導されて第１の係合部１６ａから第２の係合部１６ｂへ向けて移動される。
【０１３８】
このときガイド１７は被ガイド孔２１に対して第１の端部２１ａから相対的に移動され第２の端部２１ｂに係合される（図１３参照）。従って、フレーム１２及び表示部８が左斜め後方（図１３に示す矢印Ｐ方向）へ押し出されるようにして回動され、表示部８のカバー７との接触が回避される。
【０１３９】
引き続き、表示部８が本体２に対して開放位置へ向けて回動されていくと、移動軸１１が誘導部１６に誘導されて第２の係合部１６ｂまで移動される（図１４参照）。
【０１４０】
このときフレーム１２に付勢バネ３４によって反力としての第２の位置へ向かう方向への付勢力が付与され、フレーム１２を介して表示部８に開放位置へ向かう方向への付勢力が付与される。従って、表示部８が開放位置まで回動される直前において使用者が表示部８から手を離しても、表示部８は付勢バネ３４の付勢力によって開放位置まで確実に回動される。
【０１４１】
ガイド１７は被ガイド孔２１に対して第２の端部２１ｂから相対的に移動され再び第１の端部２１ａに係合される。
【０１４２】
ヒンジ機構９Ａのフレーム１２は表示部８が開放位置まで回動されるため第２の位置まで移動される。
【０１４３】
逆に、表示部８が本体２に対して開放位置から閉塞位置へ向けて回動されていくと、移動軸１１が誘導部１６に誘導されて第２の係合部１６ｂから第１の係合部１６ａへ向けて移動される。
【０１４４】
このときガイド１７は被ガイド孔２１に対して第１の端部２１ａから相対的に移動され第２の端部２１ｂに係合される（図１３参照）。従って、フレーム１２及び表示部８が左斜め後方へ押し出されるようにして回動され、表示部８のカバー７との接触が回避される。
【０１４５】
引き続き、表示部８が本体２に対して閉塞位置へ向けて回動されていくと、移動軸１１が誘導部１６に誘導されて第１の係合部１６ａまで移動される（図１２参照）。
【０１４６】
このときフレーム１２に付勢バネ３４によって反力としての第１の位置へ向かう方向への付勢力が付与され、フレーム１２を介して表示部８に閉塞位置へ向かう方向への付勢力が付与される。従って、表示部８が閉塞位置まで回動される直前において使用者が表示部８から手を離しても、表示部８は付勢バネ３４の付勢力によって閉塞位置まで確実に回動される。
【０１４７】
ガイド１７は被ガイド孔２１に対して第２の端部２１ｂから相対的に移動され再び第１の端部２１ａに係合される。
【０１４８】
フレーム１２は表示部８が閉塞位置まで回動されるため再び第１の位置まで移動される。
【０１４９】
＜第２の変形例＞
第２の変形例に係るヒンジ機構９Ｂには付勢機構３３に代えて付勢機構３３Ｂとして機能する付勢バネ３５が設けられている（図１５及び図１６参照）。
【０１５０】
付勢バネ３５は捩じりコイルバネであり、上下方向において離隔した状態で連結された一対のコイル部３５ａ、３５ａと両端部にそれぞれ設けられたアーム部３５ｂ、３５ｂとコイル部３５ａ、３５ａを連結するように設けられた接面部３５ｃとから成る。コイル部３５ａ、３５ａは移動軸１１に外嵌状に支持され、アーム部３５ｂ、３５ｂはそれぞれガイド１７、１７に押し付けられ、接面部３５ｃはフレーム１２の基面部１８に押し付けられて係合されている。
【０１５１】
従って、ガイド１７、１７には付勢バネ３５によって被ガイド孔２１の第２の端部２１ｂ、２１ｂから第１の端部２１ａ、２１ａへ向かう方向への付勢力が付与され、その反力としてフレーム１２に回動位置（移動位置）に応じて第１の位置又は第２の位置へ向かう方向への付勢力が付与される。
【０１５２】
ヒンジ機構９Ｂが設けられた装置１において、表示部８が本体２に対して閉塞位置から開放位置へ向けて回動されていくと、移動軸１１が誘導部１６に誘導されて第１の係合部１６ａから第２の係合部１６ｂへ向けて移動される。
【０１５３】
このときガイド１７は被ガイド孔２１に対して第１の端部２１ａから相対的に移動され第２の端部２１ｂに係合される（図１７参照）。従って、フレーム１２及び表示部８が左斜め後方（図１７に示す矢印Ｐ方向）へ押し出されるようにして回動され、表示部８のカバー７との接触が回避される。
【０１５４】
引き続き、表示部８が本体２に対して開放位置へ向けて回動されていくと、移動軸１１が誘導部１６に誘導されて第２の係合部１６ｂまで移動される（図１８参照）。
【０１５５】
このときフレーム１２に付勢バネ３５によって反力としての第２の位置へ向かう方向への付勢力が付与され、フレーム１２を介して表示部８に開放位置へ向かう方向への付勢力が付与される。従って、表示部８が開放位置まで回動される直前において使用者が表示部８から手を離しても、表示部８は付勢バネ３５の付勢力によって開放位置まで確実に回動される。
【０１５６】
ガイド１７は被ガイド孔２１に対して第２の端部２１ｂから相対的に移動され再び第１の端部２１ａに係合される。
【０１５７】
フレーム１２は表示部８が開放位置まで回動されるため第２の位置まで移動される。
【０１５８】
逆に、表示部８が本体２に対して開放位置から閉塞位置へ向けて回動されていくと、移動軸１１が誘導部１６に誘導されて第２の係合部１６ｂから第１の係合部１６ａへ向けて移動される。
【０１５９】
このときガイド１７は被ガイド孔２１に対して第１の端部２１ａから相対的に移動され第２の端部２１ｂに係合される（図１７参照）。従って、フレーム１２及び表示部８が左斜め後方へ押し出されるようにして回動され、表示部８のカバー７との接触が回避される。
【０１６０】
引き続き、表示部８が本体２に対して閉塞位置へ向けて回動されていくと、移動軸１１が誘導部１６に誘導されて第１の係合部１６ａまで移動される（図１６参照）。
【０１６１】
このときフレーム１２に付勢バネ３５によって反力としての第１の位置へ向かう方向への付勢力が付与され、フレーム１２を介して表示部８に閉塞位置へ向かう方向への付勢力が付与される。従って、表示部８が閉塞位置まで回動される直前において使用者が表示部８から手を離しても、表示部８は付勢バネ３５の付勢力によって閉塞位置まで確実に回動される。
【０１６２】
ガイド１７は被ガイド孔２１に対して第２の端部２１ｂから相対的に移動され再び第１の端部２１ａに係合される。
【０１６３】
ヒンジ機構９Ｂのフレーム１２は表示部８が閉塞位置まで回動されるため再び第１の位置まで移動される。
【０１６４】
上記したように、ヒンジ機構９Ａ、９Ｂにあっては、付勢バネ３４、３５によってフレーム１２を付勢するようにしているため、少ない部品点数の簡素な構造によってフレーム１２を第２の位置及び第１の位置に確実に移動させることができ、フレーム１２に連結された表示部８を開放位置及び閉塞位置に確実に移動させることができる。
【０１６５】
また、フレーム１２を案内するために予め設けられているガイド１７、１７に付勢バネ３４、３５が押し付けられる構成によりフレーム１２に付勢力が付与されているため、最小限の部品点数でフレーム１２を第２の位置及び第１の位置に確実に移動させることができ、フレーム１２に連結された表示部８を開放位置及び閉塞位置に確実に移動させることができる。
【０１６６】
［誘導部の別の例］
上記には、誘導部１６、１６が直線状に形成された例を示したが、誘導部は直線状の形状に限られることはない。例えば、図１９に示すように、中間部分が屈曲された誘導部１６Ｘを形成してもよく、また、例えば、図２０に示すように、全体が曲線状の誘導部１６Ｙを形成してもよい。
【０１６７】
誘導部１６Ｘ、１６Ｙの何れも両端部がそれぞれ誘導部１６の第１の係合部１６ａと第２の係合部１６ｂと同じ位置にある。
【０１６８】
このように非直線状の誘導部１６Ｘ、１６Ｙを用いることにより、表示部８の回動時における表示部８とカバー７の距離を任意に設定することが可能になり、各部の加工精度や位置精度等に拘わらず表示部８とカバー７の干渉を確実に回避することができる。
【０１６９】
［装置の一実施形態］
図２１に、本技術装置の一実施形態によるビデオカメラのブロック図を示す。
【０１７０】
装置（ビデオカメラ）１００（装置１に相当）は、撮像機能を担うカメラブロック７０と、撮影された画像信号のアナログ−デジタル変換等の信号処理を行うカメラ信号処理部７１と、画像信号の記録再生処理を行う画像処理部７２とを有している。また、装置１００は、撮影された画像等を表示する液晶パネル等の画像表示部７３（表示部８に相当）と、メモリーカード１０００へ画像信号の書込及び読出を行うＲ／Ｗ（リーダ／ライタ）７４と、装置１００の全体を制御するＣＰＵ（Central Processing Unit）７５と、使用者によって所要の操作が行われる各種のスイッチ等から成る入力部７６（操作スイッチ４等に相当）と、カメラブロック７０に配置されたレンズの駆動を制御するレンズ駆動制御部７７とを備えている。
【０１７１】
カメラブロック７０は、レンズ群７８を含む光学系や、ＣＣＤ（Charge Coupled Device）やＣＭＯＳ（Complementary Metal-Oxide Semiconductor）等の撮像素子７９等とによって構成されている。
【０１７２】
カメラ信号処理部７１は、撮像素子７９からの出力信号に対するデジタル信号への変換、ノイズ除去、画質補正、輝度・色差信号への変換等の各種の信号処理を行う。
【０１７３】
画像処理部７２は、所定の画像データーフォーマットに基づく画像信号の圧縮符号化・伸張復号化処理や解像度等のデーター仕様の変換処理等を行う。
【０１７４】
画像表示部７３は使用者の入力部７６に対する操作状態や撮影した画像等の各種のデーターを表示する機能を有している。
【０１７５】
Ｒ／Ｗ７４は、画像処理部７２によって符号化された画像データーのメモリーカード１０００への書込及びメモリーカード１０００に記録された画像データーの読出を行う。
【０１７６】
ＣＰＵ７５は、装置１００に設けられた各回路ブロックを制御する制御処理部として機能し、入力部７６からの指示入力信号等に基づいて各回路ブロックを制御する。
【０１７７】
入力部７６は、例えば、シャッター操作を行うためのシャッターレリーズボタンや、動作モードを選択するための選択スイッチ等によって構成され、使用者による操作に応じた指示入力信号をＣＰＵ７５に対して出力する。
【０１７８】
レンズ駆動制御部７７は、ＣＰＵ７５からの制御信号に基づいてレンズ群７８の各レンズを駆動する図示しないモータ等を制御する。
【０１７９】
メモリーカード１０００は、例えば、Ｒ／Ｗ７４に接続されたスロットに対して着脱可能な半導体メモリーである。
【０１８０】
以下に、装置１００における動作を説明する。
【０１８１】
撮影の待機状態では、ＣＰＵ７５による制御の下で、カメラブロック７０において撮影された画像信号が、カメラ信号処理部７１を介して画像表示部７３に出力され、カメラスルー画像として表示される。また、入力部７６からのズーミングのための指示入力信号が入力されると、ＣＰＵ７５がレンズ駆動制御部７７に制御信号を出力し、レンズ駆動制御部７７の制御に基づいてレンズ群７８の所定のレンズが移動される。
【０１８２】
入力部７６からの指示入力信号によりカメラブロック７０の図示しないシャッターが動作されると、撮影された画像信号がカメラ信号処理部７１から画像処理部７２に出力されて圧縮符号化処理され、所定のデーターフォーマットのデジタルデーターに変換される。変換されたデーターはＲ／Ｗ７４に出力され、メモリーカード１０００に書き込まれる。
【０１８３】
フォーカシングやズーミングは、ＣＰＵ７５からの制御信号に基づいてレンズ駆動制御部７７がレンズ群７８の所定のレンズを移動させることにより行われる。
【０１８４】
メモリーカード１０００に記録された画像データーを再生する場合には、入力部７６に対する操作に応じて、Ｒ／Ｗ７４によってメモリーカード１０００から所定の画像データーが読み出され、画像処理部７２によって伸張復号化処理が行われた後に、再生画像信号が画像表示部７３に出力されて再生画像が表示される。
【０１８５】
［まとめ］
以上に記載した通り、装置１にあっては、スタンド１０の誘導部１６に誘導されて移動される移動軸１１と、表示部４を支持し移動軸１１の移動に伴って所定の軌跡で第１の移動位置と第２の移動位置の間を移動されるフレーム１２と、フレーム１２を案内するガイド１７とを備えている。
【０１８６】
従って、複雑なカム機構や複雑なガイド機構等によって構成された複雑な機構を有していないため、ヒンジ機構９、９Ａ、９Ｂへの塵埃の付着を簡素な構造によって低減することができる。
【０１８７】
また、装置１にあっては、被駆動体として設けられた表示部８がフレーム１２に移動軸１１の軸方向と直交する軸の軸回り方向へ回転自在に支持されている。
【０１８８】
従って、表示部８が回動かつ回転するため、表示部８の位置の自由度が高く、装置１の使い勝手の向上を図ることができる。
【０１８９】
さらに、本体２に対して動作される被駆動体として画像が表示される表示部８が設けられているため、表示部８の回動かつ回転により表示面８ａの向きの自由度が高く、装置１の使い勝手の向上を図ることができる。
【０１９０】
［本技術］
本技術は、以下のような構成にすることができる。
【０１９１】
（１）本体と、前記本体に対して動作される被駆動体と、カバーによって閉塞されており前記本体と前記被駆動体を連結するヒンジ機構とを備え、前記ヒンジ機構は、所定の方向へ延びる誘導部を有し固定されたスタンドと、前記誘導部に移動自在に支持され前記誘導部に誘導されて移動される移動軸と、前記被駆動体を支持すると共に前記移動軸に支持され前記移動軸の移動に伴って所定の軌跡で第１の移動位置と第２の移動位置の間を移動されるフレームと、前記移動軸の移動に伴って前記フレームが移動されるときに前記フレームを案内するガイドとを備え、前記フレームが前記第１の移動位置と前記第２の移動位置に移動されたときに前記移動軸の前記誘導部に対する位置が異なるようにされた装置。
【０１９２】
（２）前記フレームが前記第１の位置から前記第２の位置へ向けて移動されるときに前記フレームを前記第２の位置へ向けて付勢すると共に前記フレームが前記第２の位置から前記第１の位置へ向けて移動されるときに前記フレームを前記第１の位置へ向けて付勢する付勢機構が設けられた前記（１）に記載の装置。
【０１９３】
（３）前記付勢機構は、第１の作用部と第２の作用部が設けられたカム案内部を有し前記移動軸が摺動自在に支持されるカムベースと、前記カム案内部に案内され前記移動軸の移動に伴って移動される駆動カムと、前記駆動カムを前記カム案内部に押し付ける押付バネとを備え、前記駆動カムが前記第１の作用部に押し付けられたときに前記移動軸を介して前記フレームが前記第１の位置へ向けて付勢され、前記駆動カムが前記第２の作用部に押し付けられたときに前記移動軸を介して前記フレームが前記第２の位置へ向けて付勢されるようにした前記（２）に記載の装置。
【０１９４】
（４）前記カムベースが前記スタンドに一体に設けられた前記（３）に記載の装置。
【０１９５】
（５）前記付勢機構として前記ガイドを介して前記フレームを付勢する付勢バネが設けられた前記（２）に記載の装置。
【０１９６】
（６）前記ガイドが前記スタンドから突出されて設けられ、前記フレームに前記ガイドが挿入されて前記ガイドに摺動される被ガイド孔が形成され、前記付勢バネが前記フレームに取り付けられ又は係合され、前記ガイドに前記付勢バネが押し付けられ、前記フレームに、前記付勢バネが前記ガイドに押し付けられる反力によって付勢力が付与されるようにした前記（５）に記載の装置。
【０１９７】
（７）前記誘導部が直線状に形成された前記（１）から前記（６）の何れかに記載の装置。
【０１９８】
（８）前記ガイドが前記スタンドに取り付けられた前記（１）から前記（７）の何れかに記載の装置。
【０１９９】
（９）前記被駆動体が前記フレームに前記移動軸の軸方向と直交する軸の軸回り方向へ回転自在に支持された前記（１）から前記（８）の何れかに記載の装置。
【０２００】
（１０）前記被駆動体として画像が表示される表示部が設けられた前記（９）に記載の装置。
【０２０１】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２０２】
【図１】図２乃至図２１と共に本技術装置を示すものであり、本図は、表示部が閉塞位置にある状態で示す装置の斜視図である。
【図２】表示部が開放位置に回動された状態で示す装置の斜視図である。
【図３】表示部が開放位置において回転された状態で示す装置の斜視図である。
【図４】開放位置において回転された表示部が閉塞位置に回動された状態で示す装置の斜視図である。
【図５】ヒンジ機構の分解斜視図である。
【図６】ヒンジ機構の拡大斜視図である。
【図７】駆動カムがカム案内部に接した状態を示す拡大平面図である。
【図８】図９及び図１０と共にヒンジ機構の動作を示すものであり、本図は、フレームが第１の位置にあり、表示部が閉塞位置にある状態を示す概略拡大側面図である。
【図９】フレームが第１の位置と第２の位置の中間の位置にあり、表示部が閉塞位置と開放位置の中間の位置にある状態を示す概略拡大側面図である。
【図１０】フレームが第２の位置にあり、表示部が開放位置にある状態を示す概略拡大側面図である。
【図１１】図１２乃至図１４と共に第１の変形例に係るヒンジ機構を示すものであり、本図は、拡大斜視図である。
【図１２】図１３及び図１４と共にヒンジ機構の動作を示すものであり、本図は、フレームが第１の位置にあり、表示部が閉塞位置にある状態を示す概略拡大側面図である。
【図１３】フレームが第１の位置と第２の位置の中間の位置にあり、表示部が閉塞位置と開放位置の中間の位置にある状態を示す概略拡大側面図である。
【図１４】フレームが第２の位置にあり、表示部が開放位置にある状態を示す概略拡大側面図である。
【図１５】図１６乃至図１８と共に第２の変形例に係るヒンジ機構を示すものであり、本図は、拡大斜視図である。
【図１６】図１７及び図１８と共にヒンジ機構の動作を示すものであり、本図は、フレームが第１の位置にあり、表示部が閉塞位置にある状態を示す概略拡大側面図である。
【図１７】フレームが第１の位置と第２の位置の中間の位置にあり、表示部が閉塞位置と開放位置の中間の位置にある状態を示す概略拡大側面図である。
【図１８】フレームが第２の位置にあり、表示部が開放位置にある状態を示す概略拡大側面図である。
【図１９】誘導部の形状が異なる例を示す概略拡大側面図である。
【図２０】誘導部の形状が異なる別の例を示す概略拡大側面図である。
【図２１】装置のブロック図である。
【符号の説明】
【０２０３】
１…装置、７…カバー、８…表示部（被駆動体）、９…ヒンジ機構、１０…スタンド、１１…移動軸、１２…フレーム、１６…誘導部、１７…ガイド、２１…被ガイド孔、２５…カムベース、２７…カム案内部、２７ｂ…第１の作用面、２７ｄ…第２の保持面、２８…駆動カム、２９…押付バネ、３３…付勢機構、９Ａ…ヒンジ機構、３３Ａ…付勢機構、３４…付勢バネ、９Ｂ…ヒンジ機構、３３Ｂ…付勢機構、３５…付勢バネ、１６Ｘ…誘導部、１６Ｙ…誘導部、１００…装置
【図１】
2013245811.tif 000003
【図２】
2013245811.tif 000004
【図３】
2013245811.tif 000005
【図４】
2013245811.tif 000006
【図５】
2013245811.tif 000007
【図６】
2013245811.tif 000008
【図７】
2013245811.tif 000009
【図８】
2013245811.tif 000010
【図９】
2013245811.tif 000011
【図１０】
2013245811.tif 000012
【図１１】
2013245811.tif 000013
【図１２】
2013245811.tif 000014
【図１３】
2013245811.tif 000015
【図１４】
2013245811.tif 000016
【図１５】
2013245811.tif 000017
【図１６】
2013245811.tif 000018
【図１７】
2013245811.tif 000019
【図１８】
2013245811.tif 000020
【図１９】
2013245811.tif 000021
【図２０】
2013245811.tif 000022
【図２１】
2013245811.tif 000023